(57)【要約】【課題】所望の差動パルスを得る。【解決手段】第一線路２と、低インピーダンス部４ａに接続され、第一線路２の近傍に、第一線路２に沿って配置された第二線路４と、第一線路２に電流を与える第一トランジスタ１２と、第一線路２から電流を受ける第二トランジスタ１４ａと、第一トランジスタ１２と第二トランジスタ１４ａとのいずれか一方を作動させる作動手段１６と、カソードが第一線路２に接続され、アノードが第二線路４に接続されるステップリカバリダイオード１８と、第一線路２および第二線路４に接続され、入力を逆極性にして反射する反射手段２０とを備えた差動パルス生成装置１。【選択図】図１
2007295103.tif 000002
【特許請求の範囲】
【請求項１】
第一線路と、
低インピーダンス部に接続され、前記第一線路の近傍に、前記第一線路に沿って配置された第二線路と、
前記第一線路に電流を与える第一ドライバ回路と、
前記第一線路から電流を受ける第二ドライバ回路と、
前記第一ドライバ回路と前記第二ドライバ回路とのいずれか一方を作動させる作動手段と、
カソードが前記第一線路に接続され、アノードが前記第二線路に接続されるステップリカバリダイオードと、
前記第一線路および前記第二線路に接続され、入力を逆極性にして反射する反射手段と、
を備えた差動パルス生成装置。
【請求項２】
請求項１に記載の差動パルス生成装置であって、
前記第一線路の遅延時間および前記第二線路の遅延時間が可変である、
差動パルス生成装置。
【請求項３】
請求項１に記載の差動パルス生成装置であって、
前記第一線路および前記第二線路に接続されたバランを備え、
前記第一線路が、前記バランを介して、前記第一ドライバ回路と前記第二ドライバ回路とに接続され、
前記第二線路が、前記バランを介して、前記低インピーダンス部に接続される、
差動パルス生成装置。
【発明の詳細な説明】
【技術分野】
【０００１】
本発明は、差動パルスの生成に関する。
【背景技術】
【０００２】
従来より、ステップリカバリダイオードを有するサンプリング信号発生回路が知られている（例えば、特許文献１を参照）。このような回路で得られるサンプリング信号はシングルパルスである。
【０００３】
ここで、シングルパルスをバラン（例えば、特許文献２を参照）に与えれば、差動パルス（パルス信号と、該パルス信号と正負が逆転した逆転パルス信号とをいう）を得ることができる。
【０００４】
【特許文献１】特開平８−１１６２４４号公報
【特許文献２】特開２００２−２３２２１５号公報
【発明の開示】
【発明が解決しようとする課題】
【０００５】
しかしながら、上記のような従来技術において所望の差動パルスを得るためには、低域の周波数から高域の周波数まで充分に通過させるバランが必要である。しかし、そのようなバランを設計することは困難である。
【０００６】
このため、上記のような従来技術によって得られた差動パルスは、鈍っている（高域の周波数を通しにくいバランの場合）、または、パルス波高値が低い（低域の周波数を通しにくいバランの場合）といった問題がある。
【０００７】
そこで、本発明は、所望の差動パルスを得ることを課題とする。
【課題を解決するための手段】
【０００８】
本発明にかかる差動パルス生成装置は、第一線路と、低インピーダンス部に接続され、前記第一線路の近傍に、前記第一線路に沿って配置された第二線路と、前記第一線路に電流を与える第一ドライバ回路と、前記第一線路から電流を受ける第二ドライバ回路と、前記第一ドライバ回路と前記第二ドライバ回路とのいずれか一方を作動させる作動手段と、カソードが前記第一線路に接続され、アノードが前記第二線路に接続されるステップリカバリダイオードと、前記第一線路および前記第二線路に接続され、入力を逆極性にして反射する反射手段とを備えるように構成される。
【０００９】
上記のように構成された差動パルス生成装置によれば、第二線路は、低インピーダンス部に接続され、前記第一線路の近傍に、前記第一線路に沿って配置されている。第一ドライバ回路は、前記第一線路に電流を与える。第二ドライバ回路は、前記第一線路から電流を受ける。作動手段は、前記第一ドライバ回路と前記第二ドライバ回路とのいずれか一方を作動させる。ステップリカバリダイオードは、カソードが前記第一線路に接続され、アノードが前記第二線路に接続される。反射手段は、前記第一線路および前記第二線路に接続され、入力を逆極性にして反射する。
【００１０】
なお、本発明にかかる差動パルス生成装置は、前記第一線路の遅延時間および前記第二線路の遅延時間が可変であるようにしてもよい。
【００１１】
なお、本発明にかかる差動パルス生成装置は、前記第一線路および前記第二線路に接続されたバランを備え、前記第一線路が、前記バランを介して、前記第一ドライバ回路と前記第二ドライバ回路とに接続され、前記第二線路が、前記バランを介して、前記低インピーダンス部に接続されるようにしてもよい。
【発明を実施するための最良の形態】
【００１２】
以下、本発明の実施形態を図面を参照しながら説明する。
【００１３】
図１は、本発明の実施形態にかかる差動パルス生成装置１の構成を示す図である。差動パルス生成装置１は、第一線路２、第二線路４、低インピーダンス部４ａ、第一トランジスタ（第一ドライバ回路）１２、第二ドライバ回路１４、作動手段１６、ステップリカバリダイオード１８、反射手段２０、第一遅延時間可変部２２、第二遅延時間可変部２４、第一キャパシタンス２６ａ、第二キャパシタンス２６ｂ、第一端子２８ａ、第二端子２８ｂ、接地抵抗３０を備える。
【００１４】
第一線路２は、電流が流れる線路である。
【００１５】
第二線路４は、第一線路２の近傍に、第一線路２に沿って配置されている。しかも、第二線路４の一端は、低インピーダンス部４ａに接続されている。低インピーダンス部４ａは、例えば、GNDである。低インピーダンス部４ａがGNDである場合、第二線路４の一端が接地されているといえる。
【００１６】
なお、第二線路４が第一線路２の近傍に配置されているため、第一線路２に流れる信号の周波数がMHzを超える場合、または、立ち上がり時間および立ち下がり時間がns以下の場合は、第一線路２を通過する信号の電荷とは逆極性の電荷が第二線路４に誘起される。
【００１７】
図２は、第一線路２を通過する信号の電荷と、第二線路４を通過する信号の電荷とを示す図である。図２（ａ）に示すように、第一線路２にプラスの電荷があると、第二線路４にマイナスの電荷が発生する。さらに、図２（ｂ）に示すように、第一線路２のプラスの電荷が第一線路２を右側に流れていくと、第二線路４のマイナスの電荷も右側に流れていく。
【００１８】
第一トランジスタ（第一ドライバ回路）１２は、エミッタが第一線路２の一端２ａに接続されている。第一トランジスタ１２のベースに電圧が与えられると、第一トランジスタ１２のエミッタから電流が流れ、第一線路２に電流が流れる。なお、第一トランジスタ１２のコレクタは図示しない定電圧源に接続されている。
【００１９】
第二ドライバ回路１４は、第二トランジスタ１４ａ、抵抗１４ｂを有する。第二トランジスタ１４ａはコレクタが第一線路２の一端２ａに接続されている。第二トランジスタ１４ａのベースに電圧が与えられると、第一線路２から、第二トランジスタ１４ａのコレクタに電流が流れる。なお、第二トランジスタ１４ａのエミッタは、抵抗１４ｂを介して、図示しない定電圧源に接続されている。
【００２０】
作動手段１６は、第一トランジスタ１２と第二ドライバ回路１４とのいずれか一方を作動させるものである。作動手段１６は、第一パルス生成部１６ａと、第二パルス生成部１６ｂとを有する。
【００２１】
第一パルス生成部１６ａはパルス信号Ｔｒ１を、第二パルス生成部１６ｂはパルス信号Ｔｒ２を生成する。パルス信号Ｔｒ１とパルス信号Ｔｒ２とは逆極性である（図３（ａ）、（ｂ）参照）。なお、パルス信号Ｔｒ１は立ち上がり時間および立ち下がり時間がns以下の高速なパルス信号である。
【００２２】
ステップリカバリダイオード（SRD :
Step Recovery Diode）１８は、カソードが第一線路２に接続され、アノードが第二線路４に接続される。
【００２３】
反射手段２０は、第一反射用キャパシタンス２０ａ、第二反射用キャパシタンス２０ｂを有する。第一反射用キャパシタンス２０ａは、第一線路２に接続され、ステップリカバリダイオード１８のアノードから信号を受けて、逆極性にして反射する。第二反射用キャパシタンス２０ｂは、第二線路４に接続され、ステップリカバリダイオード１８のカソードから信号を受けて、逆極性にして反射する。なお、第一反射用キャパシタンス２０ａと第二反射用キャパシタンス２０ｂとは接続されている。このように、反射手段２０は入力された信号を反射する。
【００２４】
なお、反射手段２０は、−１の反射係数を発生させる低インピーダンス機能を有するものであればよい。また、反射手段２０の第一反射用キャパシタンス２０ａが第一線路２に接続されている地点は、ステップリカバリダイオード１８のカソードよりも、第一線路２の一端２ａに近い。さらに、反射手段２０の第二反射用キャパシタンス２０ｂが第二線路４に接続されている地点は、ステップリカバリダイオード１８のアノードよりも、低インピーダンス部４ａに近い。
【００２５】
第一遅延時間可変部２２は、第一線路２の一端２ａと、第一線路２の第一反射用キャパシタンス２０ａと接続される地点との間の遅延時間を変化させることができる部分である。しかも、第一遅延時間可変部２２は、低インピーダンス部４ａと、第二線路４の第二反射用キャパシタンス２０ｂと接続される地点との間の遅延時間を変化させることができる部分である。なお、遅延時間とは信号が一端に入力されてから、他端から出力されるまでの時間である。
【００２６】
第二遅延時間可変部２４は、ステップリカバリダイオード１８のカソードと、第一線路２の第一反射用キャパシタンス２０ａと接続される地点との間の遅延時間を変化させることができる部分である。しかも、第二遅延時間可変部２４は、ステップリカバリダイオード１８のアノードと、第二線路４の第二反射用キャパシタンス２０ｂと接続される地点との間の遅延時間を変化させることができる部分である。なお、第二遅延時間可変部２４の遅延時間をtpd0とする。例えば、高誘電率材質のものを第二遅延時間可変部２４に近づけることにより、第二遅延時間可変部２４の誘電率を変化させると、tpd0を変化させることができる。
【００２７】
第一キャパシタンス２６ａは、第一線路２に接続されている。第一キャパシタンス２６ａが第一線路２に接続されている地点は、ステップリカバリダイオード１８のカソードよりも第一線路２の一端２ａから遠い。
【００２８】
第二キャパシタンス２６ｂは、第二線路４に接続されている。第二キャパシタンス２６ｂが第二線路４に接続されている地点は、ステップリカバリダイオード１８のアノードよりも低インピーダンス部４ａから遠い。
【００２９】
第一端子２８ａは、第一キャパシタンス２６ａを介して、第一線路２に接続されている。
【００３０】
第二端子２８ｂは、第二キャパシタンス２６ｂを介して、第二線路４に接続されている。
【００３１】
接地抵抗３０は、一端が第一線路２に、他端が接地されている抵抗である。接地抵抗３０が第一線路２に接続されている地点は、第一遅延時間可変部２２よりも、第一線路２の一端２ａに近い。
【００３２】
次に、本発明の実施形態の動作を説明する。
【００３３】
図３は、本発明の実施形態にかかる差動パルス生成装置１における信号のタイムチャートである。図３（ａ）はパルス信号Ｔｒ１のタイムチャートであり、図３（ｂ）はパルス信号Ｔｒ２のタイムチャートであり、図３（ｃ）はステップリカバリダイオード１８のカソードにおける信号のタイムチャートであり、図３（ｄ）はステップリカバリダイオード１８のアノードにおける信号のタイムチャートである。
【００３４】
（１）期間（Ｔ１）における動作
まず、パルス信号Ｔｒ１がＯＦＦであり、パルス信号Ｔｒ２がＯＮの状態から、差動パルス生成装置１が動作する。このとき、第二トランジスタ１４ａのコレクタからエミッタに電流が流れる。よって、ステップリカバリダイオード１８のアノードからカソードへ電流が流れ、さらにこの電流が第一線路２を流れて、第二トランジスタ１４ａのコレクタからエミッタへと流れる。
【００３５】
この場合、ステップリカバリダイオード１８のカソードは電位が低く、アノードは電位が高い。この状態では、ステップリカバリダイオード１８に電荷が蓄積される。
【００３６】
ただし、期間（Ｔ１）は、パルス信号Ｔｒ１がＯＦＦになりはじめてから、ＯＮになるまでの期間とする。
【００３７】
（２）期間（Ｔ２）における動作
次に、パルス信号Ｔｒ１がＯＮであり、パルス信号Ｔｒ２がＯＦＦの状態に移行する。パルス信号Ｔｒ１がＯＮになるため、第一トランジスタのコレクタからエミッタへと電流が流れ、さらにこの電流が第一線路２を流れて、ステップリカバリダイオード１８のカソードへと流れる。パルス信号Ｔｒ１は立ち上がり時間および立ち下がり時間がns以下の高速なパルス信号であるため、第二線路４に、第一線路２を通過する信号の電荷とは逆極性の電荷が誘起される。よって、ステップリカバリダイオード１８のカソードには正信号、アノードには負信号が発生する。このため、ステップリカバリダイオード１８のカソードからアノードに電流を流そうとする電圧がかかる。
【００３８】
しかし、ただちにステップリカバリダイオード１８のアノードの電位よりもカソードの電位の方が高くなるわけではない。ステップリカバリダイオード１８に蓄積された電荷が０になるまでは、ステップリカバリダイオード１８は低インピーダンス状態のままである。よって、ステップリカバリダイオード１８のカソードは電位が低く、アノードは電位が高い。ステップリカバリダイオード１８に蓄積された電荷が０になるまでが期間（Ｔ２）である。
【００３９】
（３）期間（Ｔ３）における動作
ステップリカバリダイオード１８に蓄積された電荷が０になると、瞬間的にステップリカバリダイオード１８がハイインピーダンス状態となる。すると、ステップリカバリダイオード１８のアノードの電位よりもカソードの電位の方が高くなる。
【００４０】
（４）期間（Ｔ４）における動作
さらに、その後、反射手段２０の第一反射用キャパシタンス２０ａにより、ステップリカバリダイオード１８のカソードから出力された信号が反射され、ステップリカバリダイオード１８のカソードから出力された信号と足し合わされる。よって、ステップリカバリダイオード１８のカソードの電位が低くなる。
【００４１】
また、反射手段２０の第二反射用キャパシタンス２０ｂにより、ステップリカバリダイオード１８のアノードから出力された信号が反射され、ステップリカバリダイオード１８のアノードから出力された信号と足し合わされる。よって、ステップリカバリダイオード１８のアノードの電位が高くなる。
【００４２】
なお、ステップリカバリダイオード１８のカソードから第一反射用キャパシタンス２０ａへ向かう信号および第一反射用キャパシタンス２０ａが反射した信号の電荷とは逆極性の電荷が、第二線路４に誘起される。よって、ステップリカバリダイオード１８のアノードから第二反射用キャパシタンス２０ｂへ向かう信号および第二反射用キャパシタンス２０ｂが反射した信号は、ステップリカバリダイオード１８のカソードから第一反射用キャパシタンス２０ａへ向かう信号および第一反射用キャパシタンス２０ａが反射した信号とは逆極性となる。
【００４３】
よって、ステップリカバリダイオード１８のカソードにおける信号は、その電位が期間（Ｔ３）において高い（他の期間では低い）、パルス信号となる。このパルス信号は、第一キャパシタンス２６ａを介して第一端子２８ａから出力される。
【００４４】
また、ステップリカバリダイオード１８のアノードにおける信号は、その電位が期間（Ｔ３）において低い（他の期間では高い）、パルス信号となる。このパルス信号は、第二キャパシタンス２６ｂを介して第二端子２８ｂから出力される。
【００４５】
なお、図３（ｃ）、（ｄ）においては、期間（Ｔ３）において、瞬間的にパルス信号が立ち上がりまたは立ち下がるように図示した。しかし、厳密には、パルス信号の立ち上がりおよび立ち下がりには多少の時間がかかっている。
【００４６】
図４は、期間（Ｔ３）とその近傍の時間における信号のタイムチャートである。なお、図４は、図３に比べて、同じ長さの時間を拡大して表示している。図４（ａ）はステップリカバリダイオード１８のカソードにおける信号のタイムチャートである。図４（ｂ）はステップリカバリダイオード１８のアノードにおける信号のタイムチャートである。図４（ｃ）は第一反射用キャパシタンス２０ａが反射する信号が、ステップリカバリダイオード１８のカソードと第一線路２との接続部分に達したもののタイムチャートである。図４（ｄ）は第二反射用キャパシタンス２０ｂが反射する信号の、ステップリカバリダイオード１８のアノードと第二線路４との接続部分に達したもののタイムチャートである。図４（ｅ）は第一端子２８ａの出力する信号のタイムチャートである。図４（ｆ）は第二端子２８ｂの出力する信号のタイムチャートである。
【００４７】
（２）期間（Ｔ２）における動作
期間（Ｔ２）においては、ステップリカバリダイオード１８のカソードは電位が低く（図４（ａ）参照）、アノードは電位が高い（図４（ｂ）参照）。
【００４８】
ここで、第一反射用キャパシタンス２０ａにより、ステップリカバリダイオード１８のカソードの信号が逆極性（反射係数が−１）になって反射されるので、第一反射用キャパシタンス２０ａの出力の電位は高い（図４（ｃ）参照）。また、第二反射用キャパシタンス２０ｂにより、ステップリカバリダイオード１８のアノードの信号が逆極性（反射係数が−１）になって反射されるので、第一反射用キャパシタンス２０ａの出力の電位は低い（図４（ｄ）参照）。
【００４９】
第一端子２８ａの出力する信号は、図４（ａ）および図４（ｃ）に示す信号を足し合わせたものとなる（図４（ｅ）参照）。第二端子２８ｂの出力する信号は、図４（ｂ）および図４（ｄ）に示す信号を足し合わせたものとなる（図４（ｆ）参照）。
【００５０】
（３−１）期間（Ｔ３−１）における動作
ステップリカバリダイオード１８に蓄積された電荷が０になると、瞬間的にステップリカバリダイオード１８がハイインピーダンス状態となる。すると、ステップリカバリダイオード１８のカソードの電位が、瞬間的に高くなり（図４（ａ）参照）、ステップリカバリダイオード１８のアノードの電位が、瞬間的に低くなる（図４（ｂ）参照）。
【００５１】
第一端子２８ａの出力する信号は、図４（ａ）および図４（ｃ）に示す信号を足し合わせたものとなる。よって、期間（Ｔ３−１）において、第一端子２８ａの出力する信号は立ち上がる（図４（ｅ）参照）。第二端子２８ｂの出力する信号は、図４（ｂ）および図４（ｄ）に示す信号を足し合わせたものとなる。よって、期間（Ｔ３−１）において、第二端子２８ｂの出力する信号は立ち下がる（図４（ｆ）参照）。
【００５２】
なお、期間（Ｔ１）、（Ｔ２）および（Ｔ３−１）の長さをそれぞれＴ１、Ｔ２およびＴ３’とした場合、Ｔ２＋Ｔ３’（ステップリカバリダイオード１８の逆回復時間に相当する）は、Ｔ１（ステップリカバリダイオード１８の順方向電流の蓄積時間に相当する）などにより、下記の式のように表される。
【００５３】
【数１】
2007295103.tif 000003
（３−２）期間（Ｔ３−２）における動作
高くなり始めたステップリカバリダイオード１８のカソードの電位が、第一反射用キャパシタンス２０ａにより、逆極性（反射係数が−１）になって反射される。この反射された信号がステップリカバリダイオード１８のカソードと第一線路２との接続部分に到達するまでには、2×tpd0の時間がかかる。これが、期間（Ｔ３−２）の長さである。
【００５４】
低くなり始めたステップリカバリダイオード１８のアノードの電位が、第二反射用キャパシタンス２０ｂにより、逆極性（反射係数が−１）になって反射される。この反射された信号がステップリカバリダイオード１８のアノードと第二線路４との接続部分に到達するまでには、2×tpd0の時間がかかる。これが、期間（Ｔ３−２）の長さである。
【００５５】
なお、図４（ｃ）、（ｄ）を参照して、第一反射用キャパシタンス２０ａの反射した信号の電荷と、逆極性の電荷が第二線路４に誘起されるため、第二反射用キャパシタンス２０ｂの反射した信号は、第一反射用キャパシタンス２０ａの反射した信号と逆極性になっている。
【００５６】
（３−３）期間（Ｔ３−３）における動作
電位が高くなり始めてから終わるまで（期間（Ｔ３−１））の、ステップリカバリダイオード１８のカソードの信号が、第一反射用キャパシタンス２０ａにより逆極性（反射係数が−１）になって反射されるため、第一反射用キャパシタンス２０ａの出力は低くなる（図４（ｃ）参照）。期間（Ｔ３−３）の長さは、期間（Ｔ３−１）の長さと同じである。
【００５７】
電位が低くなり始めてから終わるまで（期間（Ｔ３−１））の、ステップリカバリダイオード１８のアノードの信号が、第二反射用キャパシタンス２０ｂにより逆極性（反射係数が−１）になって反射されるため、第二反射用キャパシタンス２０ｂの出力は高くなる（図４（ｄ）参照）。期間（Ｔ３−３）の長さは、期間（Ｔ３−１）の長さと同じである。
【００５８】
第一端子２８ａの出力する信号は、図４（ａ）および図４（ｃ）に示す信号を足し合わせたものとなる。よって、期間（Ｔ３−３）において、第一端子２８ａの出力する信号は立ち下がる（図４（ｅ）参照）。第二端子２８ｂの出力する信号は、図４（ｂ）および図４（ｄ）に示す信号を足し合わせたものとなる。よって、期間（Ｔ３−３）において、第二端子２８ｂの出力する信号は立ち上がる（図４（ｆ）参照）。
【００５９】
（４）期間（Ｔ４）における動作
電位が高くなり終えてから以降（期間（Ｔ３−２）以降）の、ステップリカバリダイオード１８のカソードの信号が、第一反射用キャパシタンス２０ａにより逆極性（反射係数が−１）になって反射されるため、第一反射用キャパシタンス２０ａの出力は低くなる（図４（ｃ）参照）。
【００６０】
電位が低くなり終えてから以降（期間（Ｔ３−２）以降）の、ステップリカバリダイオード１８のアノードの信号が、第二反射用キャパシタンス２０ｂにより逆極性（反射係数が−１）になって反射されるため、第二反射用キャパシタンス２０ｂの出力は高くなる（図４（ｄ）参照）。
【００６１】
第一端子２８ａの出力する信号は、図４（ａ）および図４（ｃ）に示す信号を足し合わせたものとなる。第二端子２８ｂの出力する信号は、図４（ｂ）および図４（ｄ）に示す信号を足し合わせたものとなる。
【００６２】
このように、第一端子２８ａからは、パルス幅が2×tpd0であり、期間（Ｔ３−１）において立ち上がり、期間（Ｔ３−３）において立ち下がるパルス信号が得られる。第二端子２８ｂからは、パルス幅が2×tpd0であり、期間（Ｔ３−１）において立ち下がり、期間（Ｔ３−３）において立ち上がるパルス信号が得られる。よって、差動パルス生成装置１の第一端子２８ａおよび第二端子２８ｂからは差動パルス（パルス信号と、該パルス信号と正負が逆転した逆転パルス信号とをいう）が得られる。
【００６３】
また、第二遅延時間可変部２４の遅延時間tpd0を変化させることにより、差動パルスのパルス幅を変えることができる。差動パルスをサンプリングヘッドに使用する場合、差動パルスのパルス幅を変えることにより、サンプリングヘッドのRF帯域（= 0.38/差動パルスの幅）を調整することができる。
【００６４】
本発明の実施形態によれば、所望の差動パルスを得ることができる。
【００６５】
なお、図５は差動パルス生成装置１にバラン４０を付加した変形例の構成を示す図である。バラン４０は、第一線路２と第二線路４とに接続される。第一線路２が、バラン４０を介して、第一トランジスタ１２と第二ドライバ回路１４とに接続される。第二線路４が、バラン４０を介して、低インピーダンス部４ａに接続される。他の部分の構成は、本発明の実施形態と同様である。
【００６６】
ここで、バラン４０は、第一トランジスタ１２から信号を受け、差動パルスを生成し、差動パルスの一方を第一線路２に、差動パルスの他方を第二線路４に与える。
【００６７】
図５に示す変形例によれば、バラン４０が生成する差動パルスは、鈍っている（高域の周波数を通しにくいバランの場合）、または、パルス波高値が低い（低域の周波数を通しにくいバランの場合）といった問題がある。しかし、バラン４０が生成する差動パルスを第一線路２および第二線路４に与えることにより、より好ましい差動パルスを得ることができる。
【図面の簡単な説明】
【００６８】
【図１】本発明の実施形態にかかる差動パルス生成装置１の構成を示す図である。
【図２】第一線路２を通過する信号の電荷と、第二線路４を通過する信号の電荷とを示す図である。
【図３】本発明の実施形態にかかる差動パルス生成装置１における信号のタイムチャートである。
【図４】期間（Ｔ３）とその近傍の時間における信号のタイムチャートである。
【図５】差動パルス生成装置１にバラン４０を付加した変形例の構成を示す図である。
【符号の説明】
【００６９】
１  差動パルス生成装置
２  第一線路
４  第二線路
４ａ  低インピーダンス部
１２  第一トランジスタ（第一ドライバ回路）
１４  第二ドライバ回路
１６  作動手段
１６ａ  第一パルス生成部
１６ｂ  第二パルス生成部
１８  ステップリカバリダイオード
２０  反射手段
２０ａ  第一反射用キャパシタンス
２０ｂ  第二反射用キャパシタンス
２２  第一遅延時間可変部
２４  第二遅延時間可変部
４０  バラン
【図１】
2007295103.tif 000004
【図２】
2007295103.tif 000005
【図３】
2007295103.tif 000006
【図４】
2007295103.tif 000007
【図５】
2007295103.tif 000008